【手続補正書】
【提出日】平成30年9月27日(2018.9.27)
【手続補正１】
【補正対象書類名】明細書
【補正対象項目名】００３５
【補正方法】変更
【補正の内容】
【００３５】
前記の教示に鑑みて、本発明の多くの改変および変更が可能である。したがって、本発明が、添付の特許請求の範囲内において、本明細書中に詳細に記述されたのとは別様に実施され得ることが理解されるべきである。
本開示は以下を含む。
［構成１］
前部と、
第１側部と、
第２側部と、
前記乗り物の前記第１側部および前記第２側部の少なくとも一方に対して位置する物体までの距離を検知するように構成された近接センサと、
前記乗り物の前記前部に取付けられたカメラであって、前記乗り物の前記第１側部および前記第２側部の少なくとも一方に対する見通しを含む視界を含むように構成されたカメラと、
前記乗り物内のディスプレイと、
前記近接センサ、前記カメラ、及び前記ディスプレイと結合された処理回路機構であって、
少なくとも、前記乗り物の前記第１側部および前記乗り物の前記第２側部の少なくとも一方に対して位置する少なくともひとつの物体があらかじめ定められた近接しきい距離以内にあるという前記乗り物の周囲状況から、前記乗り物の前記第１側部および前記乗り物の前記第２側部の前記少なくとも一方に対して前記あらかじめ定められた近接しきい距離以内に物体が位置していないという前記乗り物の周囲状況への、前記乗り物の移行を前記近接センサが検出したことを決定し、
少なくとも、前記近接センサが前記移行を検出したことを決定したことに応じて、前記カメラからの映像を前記乗り物の前記ディスプレイ上に表示する、ように処理回路機構が構成される、
ように構成された、処理回路機構と、
を備える、乗り物。
［構成２］
少なくとも、前記近接センサが前記移行を検出したことを決定することにおいて、前記処理回路機構は更に、前記移行に先立ち、前記乗り物があらかじめ定められた速度しきい値未満の速度にて進行していたことを決定するように構成され、
前記カメラからの画像を前記ディスプレイ上に表示することは、前記乗り物が、前記移行に先立ち前記あらかじめ定められた速度しきい値未満の前記速度にて進行していたことも条件とされる、
構成１記載の乗り物。
［構成３］
少なくとも、前記近接センサが前記移行を検出したことを決定することにおいて、前記処理回路機構は更に、前記移行に先立ち、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にある間に、前記乗り物が少なくともあらかじめ定められた踏破距離に等しい距離を踏破したことを決定するように構成される、構成１記載の乗り物。
［構成４］
少なくとも、前記近接センサが前記移行を検出したことを決定することにおいて、前記処理回路機構は更に、前記移行に先立ち、少なくともあらかじめ定められた時間にわたり、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にあることを決定するように構成される、構成１記載の乗り物。
［構成５］
少なくとも、前記近接センサが前記移行を検出したことを決定することにおいて、前記処理回路機構は更に、前記乗り物の方向指示器が起動されているか否かを決定するように構成される、構成１記載の乗り物。
［構成６］
前記近接センサは、前記乗り物の長手軸心から７５°から８５°の範囲と少なくとも部分的に重なり合う水平視界を有する、構成１記載の乗り物。
［構成７］
前記近接センサの前記視界は、少なくとも１０°の水平角度範囲を有する、構成１記載の乗り物。
［構成８］
乗り物の近接センサに応じて前記乗り物のカメラおよびディスプレイを操作する方法であって、
少なくとも、前記乗り物の前記第１側部および前記乗り物の前記第２側部の少なくとも一方に対して位置する少なくともひとつの物体があらかじめ定められた近接しきい距離以内にあるという前記乗り物の周囲状況から、前記乗り物の前記第１側部および前記乗り物の前記第２側部の前記少なくとも一方に対して前記あらかじめ定められた近接しきい距離以内に物体が位置していないという前記乗り物の周囲状況への、前記乗り物の移行を前記近接センサが検出したことを決定し、
少なくとも、前記近接センサが前記移行を検出したことを決定したことに応じて、前記カメラからの映像を前記乗り物の前記ディスプレイ上に表示する、ように前記処理回路機構が構成される、
方法。
［構成９］
少なくとも、前記近接センサが前記移行を検出したことを決定することが、前記移行に先立ち、前記乗り物があらかじめ定められた速度しきい値未満の速度にて進行していたことを決定することを含み、
前記カメラからの画像を前記ディスプレイ上に表示することが、前記乗り物が、前記移行に先立ち前記あらかじめ定められた速度しきい値未満の前記速度にて進行していたことも条件とされる、
構成８記載の方法。
［構成１０］
少なくとも、前記近接センサが前記移行を検出したことを決定することが、前記移行に先立ち、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にある間に、前記乗り物が少なくともあらかじめ定められた踏破距離に等しい距離を踏破したことを決定することを含む、
構成８記載の方法。
［構成１１］
少なくとも、前記近接センサが前記移行を検出したことを決定することが、前記移行に先立ち、少なくともあらかじめ定められた時間にわたり、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にあることを決定することを含む、
構成８記載の方法。
［構成１２］
少なくとも、前記近接センサが前記移行を検出したことを決定することが、前記乗り物の方向指示器が起動されているか否かを決定することを含む、
構成８記載の方法。
［構成１３］
乗り物の近接センサに応じて前記乗り物のカメラおよびディスプレイを操作するためのプログラム命令を含む非一時的コンピュータ可読媒体であって、前記プログラム命令は、
少なくとも、前記近接センサが、前記乗り物の前記第１側部および前記乗り物の前記第２側部の少なくとも一方に対して位置する少なくともひとつの物体があらかじめ定められた近接しきい距離以内にあるという前記乗り物の周囲状況から、前記乗り物の前記第１側部および前記乗り物の前記第２側部の前記少なくとも一方に対して前記あらかじめ定められた近接しきい距離以内に物体が位置していないという前記乗り物の周囲状況への、前記乗り物の移行を検出したことを決定し、
少なくとも、前記近接センサが前記移行を検出したことを決定したことに応じて、前記カメラからの映像を前記乗り物の前記ディスプレイ上に表示する、ように前記処理回路機構が構成される、
ためのプログラム命令を含む、非一時的コンピュータ可読媒体。
［構成１４］
少なくとも、前記近接センサが前記移行を検出したことを決定することが、前記移行に先立ち、前記乗り物があらかじめ定められた速度しきい値未満の速度にて進行していたことを決定することを含む、
ためのプログラム命令を更に含み、
前記カメラからの画像を前記ディスプレイ上に表示することが、前記乗り物が、前記移行に先立ち前記あらかじめ定められた速度しきい値未満の前記速度にて進行していたことも条件とされる、
構成１３記載の非一時的コンピュータ可読媒体。
［構成１５］
少なくとも、前記近接センサが前記移行を検出したことを決定することが、前記移行に先立ち、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にある間に、前記乗り物が少なくともあらかじめ定められた踏破距離に等しい距離を踏破したことを決定することを含む、
ためのプログラム命令を更に含む、構成１３記載の非一時的コンピュータ可読媒体。
［構成１６］
少なくとも、前記近接センサが前記移行を検出したことを決定することが、前記移行に先立ち、少なくともあらかじめ定められた時間にわたり、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にあることを決定することを含む、
ためのプログラム命令を更に含む、構成１３記載の非一時的コンピュータ可読媒体。
［構成１７］
少なくとも、前記近接センサが前記移行を検出したことを決定することが、前記乗り物の方向指示器が起動されているか否かを決定することを含む、
ためのプログラム命令を更に含む、構成１３記載の非一時的コンピュータ可読媒体。
【手続補正２】
【補正対象書類名】特許請求の範囲
【補正対象項目名】全文
【補正方法】変更
【補正の内容】
【特許請求の範囲】
【請求項１】
乗り物であって、
前部と、
第１側部と、
第２側部と、
前記乗り物の前記第１側部および前記第２側部の少なくとも一方に対して位置する物体までの距離を検知するように構成された近接センサと、
前記乗り物の前記前部に取付けられたカメラであって、前記乗り物の前記第１側部および前記第２側部の少なくとも一方に対する見通しを含む視界を含むように構成されたカメラと、
前記乗り物内のディスプレイと、
前記近接センサ、前記カメラ、及び前記ディスプレイと結合された処理回路機構と、
を備え、
前記処理回路機構は、少なくとも、前記乗り物の前記第１側部および前記乗り物の前記第２側部の少なくとも一方に対して位置する少なくともひとつの物体があらかじめ定められた近接しきい距離以内にあるという前記乗り物の周囲状況から、前記乗り物の前記第１側部および前記乗り物の前記第２側部の前記少なくとも一方に対して前記あらかじめ定められた近接しきい距離以内に物体が位置していないという前記乗り物の周囲状況への、前記乗り物の移行を前記近接センサが検出したことを決定するように構成され、
前記処理回路機構は、少なくとも、前記近接センサが前記移行を検出したことを決定したことに応じて、前記カメラからの映像を前記乗り物の前記ディスプレイ上に表示する、ように構成され、
少なくとも、前記近接センサが前記移行を検出したことを決定することにおいて、前記処理回路機構は更に、前記移行に先立ち、前記乗り物があらかじめ定められた速度しきい値未満の速度にて進行していたことを決定するように構成され、
前記カメラからの前記映像を前記ディスプレイ上に表示することは、前記乗り物が、前記移行に先立ち前記あらかじめ定められた速度しきい値未満の前記速度にて進行していたことも条件とされる、
乗り物。
【請求項２】
少なくとも、前記近接センサが前記移行を検出したことを決定することにおいて、前記処理回路機構は更に、前記移行に先立ち、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にある間に、前記乗り物が少なくともあらかじめ定められた踏破距離に等しい距離を踏破したことを決定するように構成される、請求項１記載の乗り物。
【請求項３】
少なくとも、前記近接センサが前記移行を検出したことを決定することにおいて、前記処理回路機構は更に、前記移行に先立ち、少なくともあらかじめ定められた時間にわたり、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にあることを決定するように構成される、請求項１記載の乗り物。
【請求項４】
少なくとも、前記近接センサが前記移行を検出したことを決定することにおいて、前記処理回路機構は更に、前記乗り物の方向指示器が起動されているときを決定するように構成される、請求項１記載の乗り物。
【請求項５】
前記近接センサは、前記乗り物の長手軸心から７５°から８５°の範囲と少なくとも部分的に重なり合う水平視界を有する、請求項１記載の乗り物。
【請求項６】
前記近接センサの前記視界は、少なくとも１０°の水平角度範囲を有する、請求項１記載の乗り物。
【請求項７】
乗り物の近接センサに応じて前記乗り物のカメラおよびディスプレイを操作する方法であって、
少なくとも、前記乗り物の第１側部および前記乗り物の第２側部の少なくとも一方に対して位置する少なくともひとつの物体があらかじめ定められた近接しきい距離以内にあるという前記乗り物の周囲状況から、前記乗り物の前記第１側部および前記乗り物の前記第２側部の前記少なくとも一方に対して前記あらかじめ定められた近接しきい距離以内に物体が位置していないという前記乗り物の周囲状況への、前記乗り物の移行を前記近接センサが検出したことを、処理回路機構により、決定することと、
少なくとも、前記近接センサが前記移行を検出したことを決定したことに応じて、前記カメラからの映像を前記乗り物の前記ディスプレイ上に表示するのに前記処理回路機構を用いることと、
を含み、
少なくとも、前記近接センサが前記移行を検出したことを決定することが、前記移行に先立ち、前記乗り物があらかじめ定められた速度しきい値未満の速度にて進行していたことを、前記処理回路機構により、決定することを含み、
前記カメラからの前記映像を前記ディスプレイ上に表示することが、前記乗り物が、前記移行に先立ち前記あらかじめ定められた速度しきい値未満の前記速度にて進行していたことも条件とされる、
方法。
【請求項８】
少なくとも、前記近接センサが前記移行を検出したことを決定することが、前記移行に先立ち、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にある間に、前記乗り物が少なくともあらかじめ定められた踏破距離に等しい距離を踏破したことを決定することを含む、
請求項７記載の方法。
【請求項９】
少なくとも、前記近接センサが前記移行を検出したことを決定することが、前記移行に先立ち、少なくともあらかじめ定められた時間にわたり、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にあることを決定することを含む、
請求項７記載の方法。
【請求項１０】
少なくとも、前記近接センサが前記移行を検出したことを決定することが、前記乗り物の方向指示器が起動されているときを決定することを含む、
請求項７記載の方法。
【請求項１１】
乗り物の近接センサに応じて前記乗り物のカメラおよびディスプレイを操作するためのプログラム命令を含む非一時的コンピュータ可読媒体であって、前記プログラム命令は、
少なくとも、前記近接センサが、前記乗り物の第１側部および前記乗り物の第２側部の少なくとも一方に対して位置する少なくともひとつの物体があらかじめ定められた近接しきい距離以内にあるという前記乗り物の周囲状況から、前記乗り物の前記第１側部および前記乗り物の前記第２側部の前記少なくとも一方に対して前記あらかじめ定められた近接しきい距離以内に物体が位置していないという前記乗り物の周囲状況への、前記乗り物の移行を検出したことを、処理回路機構により、決定することと、
少なくとも、前記近接センサが前記移行を検出したことを決定したことに応じて、前記カメラからの映像を前記乗り物の前記ディスプレイ上に表示するのに前記処理回路機構を用いることと、
ためのプログラム命令を含み、
少なくとも、前記近接センサが前記移行を検出したことを決定することが、前記移行に先立ち、前記乗り物があらかじめ定められた速度しきい値未満の速度にて進行していたことを、前記処理回路機構により、決定することを含み、
前記カメラからの前記映像を前記ディスプレイ上に表示することが、前記乗り物が、前記移行に先立ち前記あらかじめ定められた速度しきい値未満の前記速度にて進行していたことも条件とされる、
非一時的コンピュータ可読媒体。
【請求項１２】
少なくとも、前記近接センサが前記移行を検出したことを決定することが、前記移行に先立ち、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にある間に、前記乗り物が少なくともあらかじめ定められた踏破距離に等しい距離を踏破したことを決定することを含む、
ためのプログラム命令を更に含む、請求項１１記載の非一時的コンピュータ可読媒体。
【請求項１３】
少なくとも、前記近接センサが前記移行を検出したことを決定することが、前記移行に先立ち、少なくともあらかじめ定められた時間にわたり、前記乗り物が、前記乗り物の前記第１側部および前記乗り物の前記第２側部の少なくとも一方に対して少なくともひとつの物体が前記あらかじめ定められた近接しきい距離以内に位置していたという前記乗り物の前記周囲状況にあることを決定することを含む、
ためのプログラム命令を更に含む、請求項１１記載の非一時的コンピュータ可読媒体。
【請求項１４】
少なくとも、前記近接センサが前記移行を検出したことを決定することが、前記乗り物の方向指示器が起動されているときを決定することを含む、
ためのプログラム命令を更に含む、請求項１１記載の非一時的コンピュータ可読媒体。